(57)【要約】【課題】  コンクリート構造物の壁部に埋設された鉄筋等の金属物から影響を受けることがなくかつコンクリート壁の片側からでも診断が行える。【解決手段】    コンクリート構造物の壁面に少なくとも２つ以上の調査孔を相互に間隔をあけて設け、一方の調査孔内に超音波発信子を設置するとともに、他方の調査孔内に超音波受信子を設置し、前記超音波発信子から発信され前記超音波受信子で受信される超音波を受信し観測することで、コンクリート壁の前記調査孔間を調査するコンクリート構造物の内部診断方法であって、前記一方の調査孔及び前記他方の調査孔は、前記壁面に対して垂直に形成される。【選択図】  図２
2009236926.tif 000002
【特許請求の範囲】
【請求項１】
コンクリート構造物の壁面に少なくとも２つ以上の調査孔を相互に間隔をあけて設け、一方の調査孔内に超音波発信子を設置するとともに、他方の調査孔内に超音波受信子を設置し、前記超音波発信子から発信され前記超音波受信子で受信される超音波を受信し観測することで、コンクリート壁の前記調査孔間を調査するコンクリート構造物の内部診断方法であって、
前記一方の調査孔及び前記他方の調査孔は、前記壁面に対して垂直に形成されることを特徴とする。
【請求項２】
前記一方の調査孔及び前記他方の調査孔は、前記壁面の同じ側から、当該壁面の中心部に向かって形成されることを特徴とする請求項１に記載のコンクリート構造物の内部診断方法。
【請求項３】
前記一方の調査孔の大きさは前記超音波発信子よりも大きく、前記他方の調査孔の大きさは前記超音波受信子よりも大きく、前記超音波発信子は前記一方の調査孔内に挿入され、前記超音波受信子は前記他方の調査孔内に挿入されることを特徴とする請求項１又は請求項２に記載のコンクリート構造物の内部診断方法。
【請求項４】
前記超音波発信子から延出されたケーブルは、前記一方の調査孔を通じて前記壁面の外部に導出され、前記超音波受信子から延出されたケーブルは、前記他方の調査孔を通じて前記壁面の外部に導出されることを特徴とする請求項１〜請求項３のいずれか１項に記載のコンクリート構造物の内部診断方法。
【請求項５】
前記コンクリート壁の前記調査孔間を調査した後に、前記超音波発信子を前記一方の調査孔から抜き出し、前記超音波受信子を前記他方の調査孔から抜き出すことを特徴とする請求項１〜請求項４のいずれか１項に記載のコンクリート構造物の内部診断方法。
【発明の詳細な説明】
【技術分野】
【０００１】
本発明は、コンクリート構造物の内部にひび割れや腐食、強度低下、空洞部などの欠陥部がないかどうか外部から診断する方法に関し、特に超音波を使って診断する方法に関する。
【背景技術】
【０００２】
コンクリート構造物の壁内部にひび割れや腐食、強度低下、空洞部などの欠陥部がないかどうかを診断する方法として、コンクリート構造物の一部を切り抜き、これを目視により診断する方法がある。しかし、この診断方法は、調査する毎にコンクリート構造物を傷つけなければならないとともに、切り抜いた部分しか調査することができず、あまり合理的な方法とは言えない。そこで、最近では、超音波による非破壊方法が採用されている。
【０００３】
この非破壊方法は、コンクリート構造物の壁内に超音波を伝播させてその伝播状態を観測して欠陥部がないかどうか診断する方法である。この方法には、透過法と反射法との２種類ある。透過法は、コンクリート壁の両側に超音波発信子と超音波受信子とをそれぞれ配置し、超音波発信子から超音波を発信し、コンクリート壁を伝播してくる超音波を反対側の超音波受信子で受信し、コンクリート壁の内部状態を調べる。コンクリート壁内に欠陥部があれば、超音波の伝播速度など、超音波の伝播状態が他の部分と異なり、コンクリート壁を傷つけることなく外部から簡単に調べることができる。
【０００４】
一方、反射法は、超音波発信子と超音波受信子の両方をコンクリート壁の片側に配置し、その反対側に鋼板などの金属板を配置して調査する方法である。超音波発信子から発信された超音波は金属板により反射されるため、反射されてくる超音波を超音波受信子で受信し観測することで、コンクリート壁内に欠陥部がないかどうか調べることができる。この方法は、超音波発信子と超音波受信子とをコンクリート壁の同じ側に配置することができる。従って、壁の反対側に前記金属板がある場合には、壁の片側からしか調査をすることができない構造物、例えばトンネル内壁やタンク外壁、土留壁などでも調査を実施することができ、非常に有効な方法である。
【発明の概要】
【発明が解決しようとする課題】
【０００５】
しかしながら、コンクリート壁に鉄筋などの金属物が埋め込まれていると、この金属物により超音波の伝播が阻まれ反射されて、それよりも奥部に到達させることは困難であった。このため、構造物の壁部に例えば鉄筋が格子状に組まれて埋設されていると、壁表面からでは、壁の内奥部全体が鉄筋に阻まれ、透過法または反射法などをもってしても調査を行うことはできなかった。
【０００６】
本発明は、このような事情に鑑みてなされたものであって、その目的は、コンクリート構造物に鉄筋等の金属物が埋設されていてもこれに影響されずに超音波により調査を行えるようなコンクリートの内部診断方法を提供することにある。
【課題を解決するための手段】
【０００７】
前記目的を達成するために本発明にかかるコンクリート構造物の内部診断方法にあっては、コンクリート構造物の壁面に少なくとも２つ以上の調査孔を相互に間隔をあけて設け、一方の調査孔内に超音波発信子を設置するとともに、他方の調査孔内に超音波受信子を設置し、前記超音波発信子から発信され前記超音波受信子で受信される超音波を受信し観測することで、コンクリート壁の前記調査孔間を調査するコンクリート構造物の内部診断方法であって、前記一方の調査孔及び前記他方の調査孔は、前記壁面に対して垂直に形成されることを特徴とする。
また、前記一方の調査孔及び前記他方の調査孔は、前記壁面の同じ側から、当該壁面の中心部に向かって形成されることとしてもよい。
また、前記一方の調査孔の大きさは前記超音波発信子よりも大きく、前記他方の調査孔の大きさは前記超音波受信子よりも大きく、前記超音波発信子は前記一方の調査孔内に挿入され、前記超音波受信子は前記他方の調査孔内に挿入されることとしてもよい。
また、前記超音波発信子から延出されたケーブルは、前記一方の調査孔を通じて前記壁面の外部に導出され、前記超音波受信子から延出されたケーブルは、前記他方の調査孔を通じて前記壁面の外部に導出されることとしてもよい。
また、前記コンクリート壁の前記調査孔間を調査した後に、前記超音波発信子を前記一方の調査孔から抜き出し、前記超音波受信子を前記他方の調査孔から抜き出すこととしてもよい。
さらに、前記調査孔を壁面に３箇所以上設ければ、１つの調査孔につき複数の調査孔との間で調査を行うことができるから、少ない孔数で多く区間を調査対象とすることができる。特に、１つの調査孔内に超音波発信子を設置し、他の調査孔内に超音波受信子を設置してその超音波発信子から超音波を発信し他の各超音波受信子でこれを受信すれば、複数の区間をまとめて同時に調査することができる。
【０００８】
さらにこれらの方法にあっては、次の各事項（Ａ）〜（Ｃ）により実施されるのが好ましい。  
（Ａ）前記超音波発信子の発信面または前記超音波受信子の受信面が、前記調査孔の内面形状に対応すべく曲面形状に形成されている。この場合、超音波発信子または超音波受信子を調査孔内面との間にあまり隙間をつくらずに密着させることができ、超音波を良好に発信または受信することができる。  
（Ｂ）治具を介して一体的に連結された前記超音波発信子と前記超音波受信子とを前記調査孔に挿入し、これら超音波発信子と超音波受信子とを前記調査孔内に沿って平行に移動させつつ前記超音波発信子から発信された超音波を前記超音波受信子で捕捉する。この場合、超音波発信子と超音波受信子とを平行に移動させながら逐次、超音波を発信しこれを受信することで、コンクリート壁内を２次元的に調査することができる。  
（Ｃ）前記調査孔を設ける際に、診断対象であるコンクリート壁内に埋設されている鉄筋等の金属物の位置を金属探査装置で調査しておく。この場合、鉄筋等の金属物の埋設ポイントを事前に調べておくことで、調査孔を設ける際に、金属物とぶつかる心配がない。
【発明の効果】
【０００９】
本発明のコンクリート構造物の内部診断方法によれば、コンクリート壁面に２つの調査孔を設け、且つこれらの調査孔が壁面に対して垂直に形成し、これら調査孔内にそれぞれ超音波発信子と超音波受信子とを設置し、調査孔内から超音波を発信して他の調査孔内でこれを受信するから、構造物に鉄筋などの金属物が埋設されていても、これに影響されずに内部診断を実施することができる。したがって、コンクリート構造物をくまなく詳しく診断することができる。
【図面の簡単な説明】
【００１０】
【図１】本発明にかかるコンクリート構造物の内部診断方法により壁部を診断しているときの様子を示した斜視図である。
【図２】本発明にかかるコンクリート構造物の内部診断方法により壁部を診断しているときの様子を示した断面図である。
【図３】本発明のコンクリート構造物の内部診断方法で使用される超音波発信子または超音波受信子の一例を示した正面図である。
【図４】本発明にかかるコンクリート構造物の内部診断方法で使用される診断器具の一例を示した外観図である。
【図５】本発明にかかるコンクリート構造物の内部診断方法の応用例を示す説明図である。
【図６】本発明にかかるコンクリート構造物の内部診断方法の他の応用例を示す説明図である。
【発明を実施するための形態】
【００１１】
図１および図２は、本発明にかかるコンクリート構造物の内部診断方法の一実施形態を示したものである。このコンクリート構造物１は、鉄筋コンクリート構造であり、その壁２の内部には、縦筋６と横筋８とからなる格子状の鉄筋９が１対相互に間隔をあけて埋設されている。
【００１２】
本発明にかかる診断方法では、まず、このコンクリート壁２の壁面４に２つの調査孔１０を設ける。調査孔１０は、超音波発信子１２と超音波受信子１４とを挿入するためのもので、診断対象とする領域を両側から挟み込む形で相互に間隔をあけて設けられる。各調査孔１０のサイズは超音波発信子１２もしくは超音波受信子１４が十分に余裕をもって挿入できるような寸法、例えば直径５ｃｍや１０ｃｍ等に形成される。その孔の形状は円形状や楕円形状、矩形状であってもかまわない。構造物に対し与える悪影響、例えば強度低下などを考慮すると、調査孔の大きさはなるべく小さくするのが好ましい。なお、２つの調査孔１０の大きさ及び形状は必ずしも等しくする必要はない。
【００１３】
調査孔１０の間隔は、コンクリート壁２の性状や温度、保水状態、湿度などの環境的要件の他に、超音波発信子１２の発信性能や超音波受信子１４の受信感度などに応じて適宜変更される。ここでは、調査孔１０の間隔が具体的に５０ｃｍ〜６０ｃｍぐらいに設定されている。
【００１４】
調査孔１０はコンクリート壁２内部に埋設された鉄筋等の金属物を避ける形で穿設され、壁面４から垂直に壁２の中心部に向かって真っ直ぐに形成される。その深さは、壁２の肉厚の半分程度に達するように形成される。例えば、壁２の厚さが６０ｃｍであれば、調査孔１０の深さは約３０ｃｍに達するように設定される。
【００１５】
このように形成した２つの調査孔１０のうちの一方に超音波発信子１２を挿入し、他方に超音波受信子１４を挿入する。超音波発信子１２および超音波受信子１４は、ロッド１６の先端部に取付けられて、調査孔１０の奥深くにまで差し込まれる。超音波発信子１２および超音波受信子１４は、コンクリート壁２の中央位置付近にコンクリート壁面４からの距離がほぼ等しい位置に設置される。その位置は２つの格子状の鉄筋９間に位置することになる。超音波発信子１２または超音波受信子１４から延出されたケーブル１２ａ，１４ａは各調査孔１０を通じて壁２外部に導出される。
【００１６】
超音波発信子１２および超音波受信子１４の設置を完了した後、超音波発信子１２から超音波受信子１４に向けて超音波を発信する。超音波発信子１２から発信された超音波はコンクリート壁２を伝播して超音波受信子１４に到達する。ここで超音波は格子状の鉄筋９間を伝播するから、格子状の鉄筋９で囲まれた部分の欠陥状況について調べることができる。超音波受信子１４の受信結果はケーブル１４ａを介して外部に出力される。
【００１７】
超音波受信子１２から得られた受信結果は、コンピュータ装置などから構成される計測部（図示外）により分析され、超音波発信子１２から発信されて超音波受信子１４に到達するまでにかかる時間等に基づき、構造物内部の状態を示す画像が作成され、テレビモニタなどに映し出される。これによって、鉄筋よりも内側の部分の様子がわかり、ここにひび割れや腐食、強度低下などの欠陥部がないかどうか診断することができる。
【００１８】
以上、本実施の形態にかかるコンクリート構造物の内部診断方法によれば、構造物の壁面４に２つの調査孔１０を設け、各調査孔１０内にそれぞれ超音波発信子１２と超音波受信子１４を設置するから、コンクリート構造物内部に鉄筋が存在しても、これに影響されずに超音波により診断を行うことができる。これによって、鉄筋等の金属物により遮蔽された部分においても欠陥部がないかどうか調べることができる。欠陥部による各種悪影響を未然に防止することができる。
【００１９】
なお、金属物として構造物内部に鉄骨や鋼板などその他の金属物が埋設されている場合でも、前記と同様な効果を得ることができる。すなわち、ＳＲＣ構造やＳＣ構造、その他のコンクリート構造物についても本発明にかかる内部診断方法を好適に適用することができる。
【００２０】
診断後、超音波発信子１２または超音波受信子１４については、各調査孔１０から抜き出して他の部分の調査に使用する以外、そのまま存置しておくのもよい。そのまま存置し調査孔１０内に超音波発信子１２または超音波受信子１４を残しておけば、これを利用して継続的に診断を行うことができる。調査孔１０にモルタルなどの充填材を充填したり、調査孔１０の開口部を保護材で覆ったりして、調査孔１０を通じてコンクリート壁２に腐食などの不具合が発生するのを防止した方がよい。
【００２１】
また、調査孔１０は、診断終了後、他の測定や診断に利用してもよい。具体的には、調査孔内に他の測定や診断で使用するセンサ類、例えば自然電位測定センサ、Ｘ線線源またはレーザ源などを設置する。
【００２２】
＝＝＝超音波発信子・受信子の形態＝＝＝
前記調査孔１０の内面形状が断面円形状などに形成されている場合など、前記超音波発信子または前記超音波受信子と調査孔１０内面とがうまく密着せず、これらの間に形成された大きな隙間に大量のグリースなどの充填材を詰め込む必要が生じることがある。このような場合には、図３に示すような形態の超音波発信子１２または超音波受信子１４を使用する。この超音波発信子１２または超音波受信子１４は、コンクリートと接触する発信面１２ｂまたは受信面１４ｂが調査孔１０の内面形状に対応して曲面形状に形成されている。このため、超音波発信子１２または超音波受信子１４を調査孔１０内面に隙間をつくらずに良好に密着することができる。これにより、超音波発信子１２または超音波受信子１４と調査孔内面１０との間にグリース等の充填材を大量に介設しなくても、超音波を良好に発信または受信することができる。
【００２３】
＝＝＝治具＝＝＝
もっと作業をスムーズに行うために、図４に示すように超音波発信子１２と超音波受信子１４とを、取手２０ａの付いたコの字形の治具２０で連結する。このように超音波発信子１２と超音波受信子１４とを連結すれば、これらを各調査孔１０に同時に差し込むことができ、作業の簡便化が図れる。また、超音波発信子１２と超音波受信子１４とを平行に保持するとともに、両者の調査孔１０の開口部から距離を等しく保つことができる。さらに、挿入した超音波発信子１２と超音波受信子１４とを調査孔１０内から徐々に引き出してゆけば、調査位置を変更しつつ壁２内を２次元的に調査することができる。
【００２４】
＝＝＝調査孔を複数設けた場合＝＝＝
図５（ａ）〜（ｃ）は、前記調査孔１０をコンクリート壁面４に３箇所以上設けて調査を行う場合を示したものである。図５（ａ）は３箇所、図５（ｂ）は４箇所、図５（ｃ）は５箇所、調査孔が設けられた場合をそれぞれ示している。このように調査孔１０が３箇所以上設けられると、１つの調査孔１０に対し他の複数の調査孔１０との間に調査対象となる区間が形成され、一度に多くの区間を調査対象とすることができる。例えば、調査孔１０が３箇所あれば３区間、４箇所あれば６区間、５箇所あれば１０区間が調査対象として確保できる。調査孔１０の数が増えれば増える程、増えた数以上に調査対象となる区間を確保できる。なお、各調査孔１０間の間隔は必ずしも等しくする必要はない。
【００２５】
さらにここで、図６（ａ）〜（ｃ）に示すように、調査孔１０のうちの１つに超音波発信子を設置し、他の複数の調査孔１０内にそれぞれ超音波受信子１４を設置し、１つの超音波発信子１２から複数の超音波受信子１４へ向けて超音波を発信すれば、複数の調査孔１０間を一度にまとめて調査することができる。この場合、調査効率がよくなり作業性の向上や作業時間の短縮を図ることができる。
【００２６】
＝＝＝事前調査＝＝＝
調査孔を穿設する前に、予め診断対象となるコンクリート構造物の壁面について鉄筋等の金属物を金属探査装置で調査する。鉄筋等の金属物の位置を事前に調べておけば、調査孔を設ける位置を鉄筋などの金属物の埋設部から逸らすことができる。もちろん、構築時の設計図面などにより鉄筋等の金属物の位置が事前に明らかな場合には、金属探査装置により調査をする必要はない。
【００２７】
＝＝＝特殊な構造物の場合＝＝＝
診断する構造物が特殊な場合、すなわち、例えば液化天然ガス（ＬＮＧ）の備蓄タンクの外壁など、通常の構造物と比べて温度環境等の診断条件が異なる構造物の場合には、コンクリート供試体を同じ環境条件下に置き、必要な校正情報を取得して、調査の際にキャリブレーションをかけると、より精度の良い調査を実施できる。
【符号の説明】
【００２８】
２    コンクリート壁
４    コンクリート壁面
６    縦筋
８    横筋
１０  調査孔
１２  超音波発信子
１４  超音波受信子
１６  ロッド
２０  治具
【図１】
2009236926.tif 000003
【図２】
2009236926.tif 000004
【図３】
2009236926.tif 000005
【図４】
2009236926.tif 000006
【図５】
2009236926.tif 000007
【図６】
2009236926.tif 000008